(57)【特許請求の範囲】
【請求項１】
複数の竿体が並継形式で連結された竿体の連結構造であって、
穂先側ほど小径に形成された筒状部材であり、穂先側端部に嵌合雄部を有し、前記嵌合雄部のテーパーは５／１０００から２／１０００であり、前記嵌合雄部に連続する隣接テーパー部のテーパーが前記嵌合雄部のテーパーより大きく、且つ２倍以下である第１竿体と、
穂先側ほど小径に形成された筒状部材であり、竿元側端部に前記嵌合雄部と嵌合固定可能な他の部分より内径が大きくなるように段差を形成した嵌合雌部を有する第２竿体と、
を備えた竿体の連結構造。
【発明の詳細な説明】
【０００１】
【発明の属する技術分野】
本発明は、並継形式で連結された釣竿の竿体の連結構造に関する。
【０００２】
【従来の技術】
従来の並継形式の釣竿（以下、「並継ぎ竿」という）は、穂先側先端に嵌合雌部を有する第１竿体と、竿元側端部に嵌合雄部を有し第１竿体の穂先側に連結される第２竿体とを有している。この並継ぎ竿では、第１竿体の嵌合雌部に第２竿体の嵌合雄部を挿入し、嵌合して１本の釣竿として用いる。
【０００３】
一方、前記並継ぎ竿の他に、穂先側先端に嵌合雄部を有する第１竿体と、竿元側端部に嵌合雌部を有し第１竿体の穂先側に連結される第２竿体とを有する釣竿もある（以下、「逆並継ぎ竿」という）。この逆並継ぎ竿は、前記並継ぎ竿とは逆に、第１竿体の嵌合雄部を第２竿体の嵌合雌部に挿入し、１本の釣竿として用いる。
【０００４】
【発明が解決しようとする課題】
逆並継ぎ竿は、竿体同士を連結する嵌合部分を他の部分と連続的になだらかに形成でき、竿体の剛性を損なうことがなく操作性が向上するので、近年多く用いられるようになってきている。
この逆並継ぎ竿においては、嵌合部分のテーパーを他の部分のテーパーと変化させているが、以下のような問題点がある。
【０００５】
竿元側の第１竿体の嵌合雄部のテーパーを他の部分に比べてきつく（大きく）形成すると、第２竿体と嵌合しやすくなるが、キャスティングをおこなう場合などにおいて穂先側に向かって力がかかった場合に、第２竿体が抜けやすくなってしまう。一方、竿元側の第１竿体の嵌合雄部のテーパーを他の部分に比べて無造作に緩やかに（小さく）形成すると、第２竿体を嵌合固定しにくく、また、取外しにくくなる場合がある。
【０００６】
さらに、嵌合雄部と他の部分とのテーパーの差が大きくなりすぎると、嵌合雄部と他の部分との境界付近の竿体の肉厚が薄くなり、大きな力が加わった場合に割れが生じやすくなる。
本発明の課題は、剛性の変化が少なく操作性がよく、付け外しが容易な竿体の連結構造を提供することにある。
【０００７】
また、本発明の別の課題は、割れが生じにくい竿体の連結構造を提供することにある。
【０００８】
【課題を解決するための手段】
本発明者は、嵌合雄部のテーパーを所定の角度にすると、剛性の変化をなだらかにしたまま、嵌合雄部の取り外しを容易にできることを見いだした。さらに、竿体を製造する際において、他の部分のテーパーに対して嵌合雄部のテーパーを無造作に緩やかにすると割れが生じやすいのは、釣竿の製造時に生じる隙間が原因であることを見いだした。つまり、所定のテーパーを施したマンドレルにシート状のプリプレグを巻回する際に、嵌合雄部のテーパーを他の部分に比べて極端に緩やかにすると、嵌合雄部と他の部分との境界のテーパーが変化する部分において、マンドレルとプリプレグとの間に隙間が生じてしまうのである。そして、この隙間はプリプレグ層の密度の低下を招き、この部分の焼成後の肉厚を薄くしてしまうのである。
【０００９】
本発明は上記知見に基づくものであって、発明１にかかる竿体の連結構造は、  複数の竿体が並継形式で連結された竿体の連結構造であって、穂先側ほど小径に形成された筒状部材であり、穂先側端部に嵌合雄部を有し、前記嵌合雄部のテーパーは５／１０００から２／１０００であり、前記嵌合雄部に連続する隣接テーパー部のテーパーが前記嵌合雄部のテーパーのより大きく、且つ２倍以下である第１竿体と、穂先側ほど小径に形成された筒状部材であり、竿元側端部に前記嵌合雄部と嵌合固定可能な他の部分より内径が大きくなるように段差を形成した嵌合雌部を有する第２竿体とを備えている。
【００１０】
この場合には、第１竿体の嵌合雄部のテーパーを５／１０００から２／１０００としたので、剛性の変化をなだらかにしたまま、嵌合雄部の取り外しを容易にできる。
【００１１】
また、嵌合雄部のテーパーは５／１０００から２／１０００であり、使用時に割れが生じるのを十分に抑えられる。さらに、第１竿体の嵌合雄部に連続する隣接テーパー部のテーパーは嵌合雄部のテーパーのより大きく、且つ２倍以下となっているので、釣竿の製造時に嵌合雄部と隣接する部分との境界のテーパーが変化する付近において、マンドレルとプリプレグとの隙間が大きく生じることを抑えられる。この結果、製造後の肉厚が著しく薄くなるのを防ぎ、使用時に割れが生じるのを防止できる。
【００１２】
【実施の形態】
［第１実施形態］
以下、本発明の第１実施形態について、図面を参照しつつ説明する。
本発明の第１実施形態を採用した釣竿１０は、第１竿体１と第１竿体１の穂先側に並継形式に連結された第２竿体２と、第２竿体２の穂先側先端に並継ぎ形式に連結された第３竿体３とを有している。第１竿体１〜第３竿体３は、それぞれ炭素繊維に強化樹脂を含浸させたプリプレグをマンドレルに巻回し焼成して得られた先細り筒状部材である。
【００１３】
第１竿体１は竿元側端部に配置された竿元グリップ４と、竿元グリップ４の穂先側に配置された前グリップ６と、竿元グリップ４と前グリップ６との間に設けられリール７を装着可能なリールシート５とを有している。また、第１竿体１〜第３竿体３の外周面には、複数のガイドリング８が設けられている。
図２に示すように、第１竿体１は、穂先側に向かって小径になるようにテーパーをつけて形成された筒状部材であって、穂先側端部に嵌合雄部１ａを有している。この嵌合雄部１ａのテーパーは２／１０００になるように形成されており、第１竿体１の嵌合雄部１ａに連続する隣接テーパー部１ｂのテーパーは４／１０００となっている。
【００１４】
一方、第２竿体２も穂先側に向かって小径になるように形成された筒状部材である。そして、竿元側端部に他の部分より内径が大きくなるように形成された嵌合雌部２ａを有している。なお、第２竿体２の穂先側端部にも、第１竿体１と同様の嵌合雄部（図示せず）が形成されている。
この第１竿体１は、以下のようにして製造する。
【００１５】
まず、嵌合雄部１ａと嵌合雄部１ａに連続する隣接テーパー部１ｂとを形成するために所定のテーパーを施したマンドレルに所定の離型剤を塗布する。このマンドレルに離型用テープを巻回し、その外周に強化繊維からなるシート状のプリプレグを複数枚巻回する。そして、保護用テープをプリプレグの外周面に巻回して竿素材を得て、この竿素材を焼成する。その後、離型用テープ，保護テープを剥離して第１竿体１を製造する。なお、第２竿体２及び第３竿体３も同様に製造する。
【００１６】
このように形成された釣竿では、第１竿体１の嵌合雄部１ａを第２竿体２の嵌合雌部２ａに嵌合固定し、同様に第２竿体２の穂先側に第３竿体３を嵌合固定し一本の釣竿として使用する。ここで、嵌合雄部１ａのテーパーを２／１０００としているので、剛性の変化をなだらかにしつつ、第１竿体１と第２竿体２との付け外しが容易になる。
【００１７】
さらに、第１竿体１の嵌合雄部１ａに連続する隣接テーパー部のテーパーを４／１０００としているので、嵌合雄部１ａと第１竿体１の嵌合雄部１ａに連続する隣接テーパー部とのテーパーの変化が十分になだらかになり、釣竿の製造時に嵌合雄部１ａと他の部分との境界のテーパーが変化する付近において、マンドレルとプリプレグとの間に隙間が生じるのを抑える。
【００１８】
なお、嵌合雄部１ａのテーパーを５／１０００以下とすれば、第１竿体１と第２竿体２との付け外しは十分に容易になる。また、嵌合雄部１ａのテーパーを３／１０００以下とし、第１竿体１の嵌合雄部１ａに連続する隣接テーパー部のテーパーを嵌合雄部１ａのテーパーの２倍以下とすれば、第１竿体１における嵌合雄部１ａと隣接テーパー部とのテーパーの変化を極めてなだらかにでき、割れを有効に防止できる。
【００１９】
［第２実施形態］
以下、本発明の第２実施形態について、図面を参照しつつ説明する。
本発明の第２実施形態を採用した釣竿の第１竿体１は、穂先側に向かって小径になるようにテーパーをつけて形成された筒状部材であって、穂先側端部に嵌合雄部１ａが形成されている。また、第１竿体１の嵌合雄部１ａ以外の他の部分には、２段にわたって異なるテーパーがつけられており、嵌合雄部に隣接する第１テーパー部１ｃと、第１テーパー部１ｃに隣接する第２テーパー部１ｄとが形成されている。この嵌合雄部１ａのテーパーは３／１０００になるように形成されており、第１テーパー部１ｃのテ−パーは４／１０００，第２テーパー部１ｄのテーパーは５／１０００となるように形成されている。
【００２０】
なお、その他の構成は第１実施形態と同様であり、説明を省略する。
このように構成された釣竿では、第１実施形態と同様の作用効果を得ることができる。また、嵌合雄部１ａのテーパーは嵌合雄部１ａと連続して隣接する第１テーパー部１ｃのテーパーに比べてゆるく形成されており、第１テーパー部１ｃのテーパーが嵌合雄部１ａのテーパーの２倍以下となっているので、使用時に割れが生じるのを有効に抑える。
【００２１】
［他の実施形態］
（ａ）竿体の数は任意の数とすることができ、それぞれの竿体に嵌合雄部，嵌合雌部を設けられる。
（ｂ）竿体には任意の段数のテーパーを設けることができる。ここで、嵌合雄部に連続する隣接テーパー部以外の部分には、テーパーをつけなくてもよい。
【００２２】
【発明の効果】
本発明にかかる竿体の連結構造によれば、竿体の連結部分の嵌合雄部のテーパーが他の部分のテーパーに比べてゆるく所定の値以下になっており、他の部分のテーパも所定の値以下となっているので、剛性の変化をなだらかにしつつ、割れが生じるのを防止できる。
【図面の簡単な説明】
【図１】本発明の第１実施形態を採用した釣竿の全体図。
【図２】  図１の第１竿体１と第２竿体２との連結部分の拡大断面図。
【図３】本発明の第２実施形態を採用した釣竿の第１竿体１と第２竿体２との連結部分の拡大断面図。
【符号の説明】
１  第１竿体
１ａ  嵌合雄部
１ｂ  隣接テーパー部
１ｃ  第１テーパー部
１ｄ  第２テーパー部
２  第２竿体
２ａ  嵌合雌部
【図１】
0004007563.tif 000002
【図２】
0004007563.tif 000003
【図３】
0004007563.tif 000004